(57)【要約】      （修正有）【課題】生体情報を用いることによって、ユーザによる装置の使用状態を検出して、自ら動作状態を制御する再生装置及び再生方法を提供する。【解決手段】再生装置１００は、イヤホン１１０に搭載され、生体センサ１１３Ｒ及び１１３Ｌが搭載され、ユーザがイヤホン１１０を装着しているとき、生体センサ１１３Ｒ及び１１３Ｌは、それぞれ生体情報を取得できる。携帯電話機１２０は、有線又は無線によりイヤホン１１０と接続される。携帯電話機制御部１２４は、生体センサ１１３Ｒ及び１１３Ｌにおける生体情報の取得状況に基づいて、ユーザが再生装置１００を使用しているか否かを判断し、コンテンツの出力処理を制御する。【選択図】図１
2015211227.tif 000002
【特許請求の範囲】
【請求項１】
イヤホンに搭載され、生体情報を取得する生体センサと、
前記生体情報の取得状況に基づいて、コンテンツの出力処理を制御する制御部と
を備える再生装置。
【請求項２】
前記制御部は、前記生体センサが前記生体情報を取得していないとき、前記コンテンツの出力処理を終了又は停止し、前記生体センサが前記生体情報を取得しているとき、前記コンテンツの出力処理を実行する、請求項１に記載の再生装置。
【請求項３】
前記コンテンツは、音を含む映像コンテンツであり、
前記制御部は、前記生体センサが前記生体情報を取得していないとき、前記映像コンテンツの出力処理を終了する、請求項２に記載の再生装置。
【請求項４】
前記コンテンツは、音コンテンツであり、
前記制御部は、前記生体センサが前記生体情報を取得していないとき、前記音コンテンツの出力処理を停止する、請求項２に記載の再生装置。
【請求項５】
前記制御部は、前記生体センサが前記生体情報を取得していないとき、出力される前記コンテンツの音を消音する、請求項１に記載の再生装置。
【請求項６】
前記イヤホンは、左右の耳への挿入部にそれぞれ搭載された、前記コンテンツを出力する音出力部と前記生体センサとを備え、
前記制御部は、前記コンテンツがステレオの場合、前記左右の生体センサにおける生体情報の取得状況に基づいて、前記左右の音出力部の双方から前記コンテンツを出力するときにステレオ出力処理を行い、前記左右の音出力部の一方のみから前記コンテンツを出力するときにモノラル出力処理を行う、請求項１に記載の再生装置。
【請求項７】
再生装置における再生方法であって、
イヤホンに搭載された生体センサから生体情報を取得するステップと、
前記生体情報の取得状況に基づいて、コンテンツの出力処理を制御するステップと
を含む再生方法。
【発明の詳細な説明】
【技術分野】
【０００１】
本発明は、再生装置及び再生方法に関する。
【０００２】
従来、生体情報を用いることによって、いくつかの機能を実現させる装置が知られている。例えば、特許文献１には、ユーザの生体反応に応じて、送受話機能と補聴器機能との切替えを行う携帯電話が記載されている。また、例えば、特許文献２には、生体情報に応じて、音楽を選択して再生する音楽再生装置が記載されている。
【先行技術文献】
【特許文献】
【０００３】
【特許文献１】特開２００８−２１９５８６号公報
【特許文献２】特開２００９−２８４９９６号公報
【発明の概要】
【発明が解決しようとする課題】
【０００４】
ここで、特許文献１及び２に記載された装置は、取得した生体情報に応じて機能を切り替えるものであるため、生体情報が取得できることが前提となっている。そのため、例えば、ユーザが上述の装置の使用を中止することにより、生体情報の検出手段が生体情報を検出していないとき、上述の装置は、機能の切替えを行うことができない。通常、ユーザが装置の使用を中止するときは、装置の電源をオフにする操作を行うことが想定されるが、例えば、電源をオフにする操作をし忘れた場合や、何らかの誤操作により電源がオンになっている場合等、ユーザの意図に反して装置の電源がオンとなっている場合がある。かかる場合に、装置が、ユーザによる装置の使用状態を検出して、自ら動作状態を制御できれば、ユーザにとって利便性が高まる。
【０００５】
かかる観点に鑑みてなされた本発明の目的は、利便性の高い再生装置及び再生方法を提供することにある。
【課題を解決するための手段】
【０００６】
上記目的を達成する本発明に係る再生装置は、
イヤホンに搭載され、生体情報を取得する生体センサと、
前記生体情報の取得状況に基づいて、コンテンツの出力処理を制御する制御部とを備える。
【０００７】
前記制御部は、前記生体センサが前記生体情報を取得していないとき、前記コンテンツの出力処理を終了又は停止し、前記生体センサが前記生体情報を取得しているとき、前記コンテンツの出力処理を実行してもよい。
【０００８】
前記コンテンツは、音を含む映像コンテンツであり、
前記制御部は、前記生体センサが前記生体情報を取得していないとき、前記映像コンテンツの出力処理を終了してもよい。
【０００９】
前記コンテンツは、音コンテンツであり、
前記制御部は、前記生体センサが前記生体情報を取得していないとき、前記音コンテンツの出力処理を停止してもよい。
【００１０】
前記制御部は、前記生体センサが前記生体情報を取得していないとき、出力される前記コンテンツの音を消音してもよい。
【００１１】
前記イヤホンは、左右の耳への挿入部にそれぞれ搭載された、前記コンテンツを出力する音出力部と前記生体センサとを備え、
前記制御部は、前記コンテンツがステレオの場合、前記左右の生体センサにおける生体情報の取得状況に基づいて、前記左右の音出力部の双方から前記コンテンツを出力するときにステレオ出力処理を行い、前記左右の音出力部の一方のみから前記コンテンツを出力するときにモノラル出力処理を行ってもよい。
【００１２】
上述したように本発明の解決手段を装置として説明してきたが、本発明はこれらに実質的に相当する方法としても実現し得るものであり、本発明の範囲にはこれらも包含されるものと理解されたい。
【００１３】
例えば、本発明に係る再生方法は、
再生装置における再生方法であって、
イヤホンに搭載された生体センサから生体情報を取得するステップと、
前記生体情報の取得状況に基づいて、コンテンツの出力処理を制御するステップとを含む。
【発明の効果】
【００１４】
上記のように構成された本発明に係る再生装置及び再生方法によれば、利便性が高まる。
【図面の簡単な説明】
【００１５】
【図１】本発明の一実施の形態に係る再生装置の要部の機能ブロック図である。
【図２】イヤホンの右耳挿入部における、右耳生体センサの配置の一例を示す図である。
【図３】図２の右耳挿入部を耳に挿入した状態を示す図である。
【図４】携帯電話機制御部が行う処理の一例を示すフローチャートである。
【発明を実施するための形態】
【００１６】
以下、本発明の実施の形態について、図を参照して説明する。
【００１７】
図１は、本発明の一実施の形態に係る再生装置の要部の機能ブロック図である。再生装置１００は、図１に示すように、例えば、イヤホン１１０と、携帯電話機１２０とを有する。
【００１８】
ユーザは再生装置１００を使用して、コンテンツの視聴を行う。具体的には、ユーザは、携帯電話機１２０を操作して、コンテンツを再生させる。イヤホン１１０には、生体センサ１１３Ｒ及び１１３Ｌが搭載され、ユーザがイヤホン１１０を装着しているとき、生体センサ１１３Ｒ及び１１３Ｌは、それぞれ生体情報を取得できる。再生装置１００は、生体センサ１１３Ｒ及び１１３Ｌが生体情報を取得しているか否かに基づいて、ユーザが再生装置１００を使用しているか否かを判断し、判断に応じたコンテンツの出力を行う。ここで、コンテンツには、音楽情報、音声情報などの音コンテンツや、ＴＶ情報、映画等の動画情報等を含む映像コンテンツ等が含まれる。
【００１９】
イヤホン１１０は、右耳挿入部１１１Ｒと、左耳挿入部１１１Ｌと、イヤホン制御部１１４と、通信部１１５とを備える。ユーザは、コンテンツを視聴するとき、右耳挿入部１１１Ｒ及び左耳挿入部１１１Ｌを、それぞれ右耳及び左耳に挿入する。右耳挿入部１１１Ｒ及び左耳挿入部１１１Ｌは、ユーザの耳への挿入状態が安定して維持される形状であることが好ましい。
【００２０】
右耳挿入部１１１Ｒは、右耳音出力部１１２Ｒと、右耳生体センサ１１３Ｒとを備える。右耳音出力部１１２Ｒは、例えば、スピーカユニットにより構成され、再生装置１００が再生するコンテンツの音を出力する。また、右耳生体センサ１１３Ｒは、例えば、生体情報としての血流を測定する血流センサ又は脈波を測定する脈波センサ等により構成され、イヤホン１１０を装着するユーザの生体情報を取得する。
【００２１】
左耳挿入部１１１Ｌは、例えば右耳挿入部１１１Ｒと左右対称に構成され、左耳音出力部１１２Ｌと、左耳生体センサ１１３Ｌとを備える。左耳音出力部１１２Ｌは、再生されるコンテンツの音を出力する。また、左耳生体センサ１１３Ｌは、イヤホン１１０を装着するユーザの生体情報を取得する。左耳音出力部１１２Ｌ及び左耳生体センサ１１３Ｌは、それぞれ右耳音出力部１１２Ｒ及び右耳生体センサ１１３Ｒと同様の構成としてもよい。また、再生装置１００は、コンテンツがステレオの場合、左右の音出力部１１２Ｒ及び１１２Ｌを使用して、ステレオ出力を行ってもよい。なお、以下、挿入部、音出力部及び生体センサについて、右耳用と左耳用とを区別しない場合には、それぞれ、挿入部１１１、音出力部１１２及び生体センサ１１３と記載する。
【００２２】
図２は、イヤホン１１０の右耳挿入部１１１Ｒにおける、右耳生体センサ１１３Ｒの配置の一例を示す図である。図２（ａ）は上面図、図２（ｂ）は正面図をそれぞれ示している。右耳生体センサ１１３Ｒは、例えば、図２に示すように、右耳挿入部１１１Ｒの上面に右耳生体センサ１１３Ｒを備える。これにより、図３に示すように、ユーザが右耳に右耳挿入部１１１Ｒを挿入したとき、右耳生体センサ１１３Ｒは、右耳の外耳道の上部に接触し、接触部分において生体情報を取得できる。
【００２３】
左耳生体センサ１１３Ｌは、例えば、左耳挿入部１１１Ｌにおける、上述の右耳生体センサ１１３Ｒに対応する位置に配置され、左耳の外耳道の上部においてユーザの生体情報を取得できる。このように、右耳生体センサ１１３Ｒと左耳生体センサ１１３Ｌとは、それぞれ右耳外耳道と左耳外耳道という、異なる部位において生体情報を取得する。なお、上述した生体センサ１１３の配置は一例であり、生体センサ１１３は、例えば外耳道の下部又は側部等に接触するように、挿入部１１１に配置してもよい。
【００２４】
生体センサ１１３が、例えば血流センサである場合、血流センサは、例えばレーザ光やＬＥＤ（発光ダイオード：Light emitting diode）等の発光素子とＰＴ（フォトトランジスタ：Phototransistor）又はＰＤ（フォトダイオード：Photodiode）等の受光素子とを備える。血流センサは、発光素子からユーザにおける生体情報である血流データの測定箇所に光を照射し、受光素子で散乱した光のドップラーシフト周波数を計測することにより血流データを測定する。このような光による測定の場合、血流センサは必ずしも外耳道に接触していなくてもよい。
【００２５】
ここで、ドップラーシフトを利用した血流量測定技術について説明する。ドップラーシフトを利用した血流量を測定する装置は、生体の組織内に照射するレーザ光を照射する照射部と、生体の組織内から散乱された散乱光を受光する受光部と、受光されたレーザ光の測定結果に基づいて血流量を演算する測定部とを備える。照射部は、例えばレーザダイオードにより構成され、受光部はフォトダイオードにより構成される。
【００２６】
照射部が生体の組織内にレーザ光を照射したとき、動いている血球から散乱された散乱光は、血液中の血球の移動速度に比例したドップラー効果による周波数シフト（ドップラーシフト）を受ける。測定部は、静止した組織からの散乱光と、動いている血球からの散乱光との光の干渉によって生じるうなり信号（ビート信号ともいう）を検出する。このうなり信号は、強度を時間の関数として表したものである。そして、測定部は、このうなり信号を、パワーを周波数の関数として表したパワースペクトルにする。このうなり信号のパワースペクトルでは、ドップラーシフト周波数は血球の速度に比例し、パワーは血球の量に対応する。そして、測定部は、うなり信号のパワースペクトルに周波数をかけて積分することにより血流量を求める。
【００２７】
また、生体センサ１１３が、例えば脈波センサである場合、脈波センサは、例えばＬＥＤ等の発光素子とＰＴ又はＰＤ等の受光素子とを備える。脈波センサは、発光素子からユーザにおける生体情報である脈波データの測定箇所に光を照射し、受光素子で反射した光を受光することにより脈波データを測定する。このような光による測定の場合、脈波センサは必ずしも外耳道に接触していなくてもよい。
【００２８】
イヤホン制御部１１４は、イヤホン１１０全体の動作を制御するプロセッサである。イヤホン制御部１１４は、例えば、通信部１１５が受信した情報に基づいて、音出力部１１２及び生体センサ１１３の動作を制御する。また、イヤホン制御部１１４は、例えば、生体センサ１１３が取得した生体情報を携帯電話機１２０に送信するように、通信部１１５を制御する。
【００２９】
通信部１１５は、有線又はＢｌｕｅｔｏｏｔｈ（登録商標）等の無線により、携帯電話機１２０と接続して通信を行う。例えば、イヤホン１１０は、携帯電話機１２０から送信された音信号を、通信部１１５を介して受信する。また、例えば、イヤホン１１０は、生体センサ１１３で取得した生体情報を、通信部１１５を介して携帯電話機１２０に送信する。
【００３０】
携帯電話機１２０は、例えばスマートフォンであり、有線又は無線によりイヤホン１１０と接続される。携帯電話機１２０は、記憶部１２１と、表示部１２２と、入力部１２３と、携帯電話機制御部１２４と、通信部１２５と、スピーカ１２６とを備える。携帯電話機１２０は、コンテンツの内容に応じて、イヤホン１１０若しくは表示部１２２又はその双方を使用して、コンテンツを再生する。
【００３１】
記憶部１２１は、例えば半導体メモリ等で構成でき、各種情報や携帯電話機１２０を動作させるためのプログラム等を記憶する。記憶部１２１は、例えば、再生装置１００を使用して再生するコンテンツを記憶する。また、記憶部１２１は、例えば、イヤホン１１０の生体センサ１１３が取得した生体情報を記憶してもよい。
【００３２】
表示部１２２は、液晶ディスプレイ、有機ＥＬディスプレイ、又は無機ＥＬディスプレイ等の表示デバイスである。表示部１２２は、再生装置１００が再生するコンテンツの映像を出力する。表示部１２２が出力する映像は、例えば、記憶部１２１に記憶されたコンテンツの映像であってもよく、また、例えば、通信部１２５がコンテンツ供給者から受信した音を含む映像コンテンツの映像であってもよい。
【００３３】
入力部１２３は、ユーザからの操作入力を受け付けるものであり、例えば、操作ボタン（操作キー）から構成される。なお、入力部１２３をタッチパネルにより構成し、表示部１２２の一部にユーザからの操作入力を受け付ける入力部１２３を表示して、ユーザによるタッチ操作入力を受け付けてもよい。ユーザは、例えば、入力部１２３を操作することにより、再生装置１００が再生するコンテンツを選択できる。
【００３４】
携帯電話機制御部１２４は、携帯電話機１２０の全体の動作を制御するプロセッサである。携帯電話機制御部１２４は、例えば、音出力部１１２及び表示部１２２におけるコンテンツの出力処理を制御する。具体的には、例えば、再生装置１００が、コンテンツが音楽等の音コンテンツを再生する場合、携帯電話機制御部１２４は、音出力部１１２に供給する音信号を生成し、通信部１２５を介して生成した音信号をイヤホン１１０に送信する。この音信号は、イヤホン制御部１１４により左右の音出力部１１２に入力される。こうして、音コンテンツが再生される。また、再生中の音コンテンツの出力を終了する場合、携帯電話機制御部１２４は、音信号の生成を終了する。音コンテンツの出力を終了する場合、携帯電話機制御部１２４は、例えば音コンテンツに関するアプリケーションを終了する。
【００３５】
また、例えば、再生装置１００が、音を含む映像コンテンツを再生する場合、携帯電話機制御部１２４は、コンテンツ供給者からの受信に基づいて、音出力部１１２及び表示部１２２にそれぞれ供給する音信号及び映像信号を生成する。そして、生成した音信号を、通信部１２５を介してイヤホン１１０に送信することによって、イヤホン制御部１１４から音出力部１１２に供給し、生成した映像信号を、表示部１２２に供給する。こうして、映像コンテンツが再生される。再生中の映像コンテンツの出力を終了する場合、携帯電話機制御部１２４は、音信号及び映像信号の生成を終了する。再び映像コンテンツが再生されるとき、映像コンテンツは通信部１２５におけるコンテンツ供給者からの受信に基づいて再生される。
【００３６】
携帯電話機制御部１２４は、生体センサ１１３における生体情報の取得状況に基づいて、コンテンツの出力処理を制御できる。例えば、携帯電話機制御部１２４は、生体センサ１１３が生体情報を取得していないとき、コンテンツの出力処理を終了し、生体センサ１１３が生体情報を取得しているとき、コンテンツの出力処理を実行してもよい。
【００３７】
例えば、上述のように、生体センサ１１３が挿入部１１１の上面に配置されている場合、生体センサ１１３は、ユーザの耳に挿入されて外耳道の上部に接触しているときに、生体情報を取得している状態となる。そのため、生体センサ１１３が生体情報を取得しているときに、携帯電話機制御部１２４がコンテンツの出力処理を実行することにより、再生装置１００は、ユーザが挿入部１１１を耳に入れた状態であるときに、コンテンツを再生できる。
【００３８】
また、生体センサ１１３は、ユーザの耳に挿入されていないときに、生体情報を取得していない状態となる。そのため、生体センサ１１３が生体情報を取得していないときに、携帯電話機制御部１２４がコンテンツの出力処理を終了することにより、再生装置１００は、ユーザが挿入部１１１を耳に入れていない状態であるときに、コンテンツを終了できる。
【００３９】
また、コンテンツが音コンテンツである場合、生体センサ１１３が生体情報を取得していないとき、携帯電話機制御部１２４は、音コンテンツの出力処理を停止してもよい。音コンテンツを停止した場合、再び同一の音コンテンツが再生されるときには、この音コンテンツは、停止された箇所から再生される。従って、例えば、ユーザが、音コンテンツを再生状態にしたまま、イヤホン１１０を耳から外し、再度イヤホン１１０を装着した場合、再生装置１００は、イヤホン１１０が耳から外れたときに音コンテンツの再生を停止し、再度イヤホン１１０が装着されたときに停止した箇所から音コンテンツを再生する。そのため、ユーザは、イヤホン１１０を装着したとき、停止操作や巻戻操作等を行うことなく、イヤホン１１０を外したときに再生されていた箇所から音コンテンツを聴くことができる。
【００４０】
また、図１の生体センサ１１３Ｒ及び１１３Ｌのように、イヤホン１１０が、左右の挿入部１１１Ｒ及び１１１Ｌに、音出力部１１２Ｒ及び１１２Ｌと、生体センサ１１３Ｒ及び１１３Ｌをそれぞれ搭載する場合、携帯電話機制御部１２４は、左右の生体センサ１１３Ｒ及び１１３Ｌにおける生体情報の取得状況に基づいて、コンテンツの出力処理を制御してもよい。例えば、携帯電話機制御部１２４は、生体情報を取得している生体センサ１１３を有する挿入部１１１の音出力部１１２からコンテンツを出力するように制御できる。
【００４１】
例えば、音コンテンツを出力する場合について説明する。携帯電話機制御部１２４は、右耳生体センサ１１３Ｒ及び左耳生体センサ１１３Ｌの双方が生体情報を取得しているとき、右耳音出力部１１２Ｒ及び左耳音出力部１１２Ｌの双方から音を出力するように、音信号を生成し、イヤホン制御部１１４から音出力部１１２Ｒ及び１１２Ｌに生成した音信号を供給する。このように、左右の生体センサ１１３Ｒ及び１１３Ｌがそれぞれ生体情報を取得しているとき、左右の挿入部１１１Ｒ及び１１１Ｌは、双方ともユーザの耳に挿入されていることが想定されるため、左右の音出力部１１２Ｒ及び１１２Ｌから音を出力させることが好ましい。なお、上述したように、左右の音出力部１１２Ｒ及び１１２Ｌから音を出力させるとき、音コンテンツがステレオの場合、携帯電話機制御部１２４は、左右の音出力部１１２Ｒ及び１１２Ｌがステレオ出力を行うように音信号を生成してもよい。
【００４２】
また、携帯電話機制御部１２４は、右耳生体センサ１１３Ｒは生体情報を取得しているが、左耳生体センサ１１３Ｌは生体情報を取得していないとき、右耳音出力部１１２Ｒのみから音を出力するように、音信号を生成し、イヤホン制御部１１４から右耳音出力部１１２Ｒに生成した音信号を供給する。この場合、右耳音出力部１１２Ｒからは音が出力されるが、左耳音出力部１１２Ｌからは音は出力されない。すなわち、右耳生体センサ１１３Ｒが生体情報を取得し、左耳生体センサ１１３Ｌは生体情報を取得していないとき、右耳挿入部１１１Ｒのみがユーザの耳に挿入されていることが想定される。そのため、再生装置１００は、右耳音出力部１１２Ｒのみから音を出力させれば十分である。なお、左耳生体センサ１１３Ｌは生体情報を取得しているが、右耳生体センサ１１３Ｒは生体情報を取得していないときは、携帯電話機制御部１２４は、反対に、左耳音出力部１１２Ｌのみから音を出力するように、音信号を生成し、イヤホン制御部１１４から左耳音出力部１１２Ｌに生成した音信号を供給する。
【００４３】
なお、携帯電話機制御部１２４は、右耳音出力部１１２Ｒ又は左耳音出力部１１２Ｌのいずれか一方のみから音を出力させるとき、音を出力する音出力部１１２Ｒ又は１１２Ｌがモノラル出力を行うように音信号を生成してもよい。ユーザは、ステレオ出力する左右の音出力部１１２Ｒ及び１１２Ｌの一方のみを聴く場合に違和感を覚える場合があるが、モノラル出力を行うことにより、この違和感を低減できる。
【００４４】
また、携帯電話機制御部１２４は、右耳音出力部１１２Ｒ又は左耳音出力部１１２Ｌのいずれか一方のみから音を出力させるとき、右耳音出力部１１２Ｒ及び左耳音出力部１１２Ｌの双方から音を出力させている場合に比べて音量を上げるよう制御しても良い。この場合、右耳音出力部１１２Ｒのみから音を出力させる場合、及び、左耳音出力部１１２Ｌのみから音を出力させる場合であっても、ユーザが音コンテンツを聴きやすくなる。
【００４５】
左右の生体センサ１１３Ｒ及び１１３Ｌが、どちらも生体情報を取得していないとき、いずれの挿入部１１１Ｒ及び１１１Ｌとも、ユーザの耳に挿入されていないことが想定されるため、携帯電話機制御部１２４は、いずれの音出力部１１２Ｒ及び１１２Ｌにも音信号を供給しない。このようにして、再生装置１００は、ユーザがコンテンツを視聴していないと想定されるときの電力消費を抑えることができる。
【００４６】
通信部１２５は、有線又は無線によりイヤホン１１０と接続して通信を行う。例えば、携帯電話機制御部１２４により生成された音信号は、通信部１２５を介してイヤホン１１０に送信される。また、例えば、生体センサ１１３における生体情報の取得状況は、通信部１２５を介してイヤホン１１０から取得される。また、通信部１２５は、例えばコンテンツ供給者のサーバと無線通信を行い、映像コンテンツを受信する。なお、図１においては、携帯電話機１２０は、１つの通信部１２５を有するものとして記載されているが、携帯電話機１２０は、例えば、イヤホン１１０と接続する通信部と、コンテンツ供給者のサーバ装置と接続する通信部との２つ以上の通信部を備えていてもよい。
【００４７】
スピーカ１２６は、音を出力する。スピーカ１２６は、例えば、携帯電話機制御部１２４から供給される音信号に基づいて音を出力する。携帯電話機制御部１２４は、例えば、携帯電話機１２０とイヤホン１１０とが接続されていないときに、音コンテンツをスピーカ１２６から出力させるために、スピーカ１２６に音信号を供給する。
【００４８】
次に、図４を参照して、再生装置１００が行う処理の一例について説明する。図４は、携帯電話機制御部１２４が行う処理の一例を示すフローチャートである。ここでは、再生装置１００は、左右の生体センサ１１３Ｒ及び１１３Ｌにおけるそれぞれの生体情報の取得状況に基づいて、音コンテンツの出力を行う場合について説明する。
【００４９】
まず、携帯電話機制御部１２４は、右耳生体センサ１１３Ｒにおける右耳の生体情報の取得状況を、通信部１２５を介して受信する（ステップＳ１０１）。そして、携帯電話機制御部１２４は、受信した生体情報の取得状況に基づいて、右耳の生体情報が取得されているか否かを判断する（ステップＳ１０２）。例えば、携帯電話機制御部１２４は、生体センサ１１３により取得されたデータが、予め格納されている所定の血流値又は脈波値を示すデータに該当（対応）している場合、生体情報が取得されていると判断する。
【００５０】
携帯電話機制御部１２４は、右耳の生体情報が取得されていると判断したとき（ステップＳ１０２のＹｅｓ）、ユーザが右耳挿入部１１１Ｒを右耳に装着していると判断して、右耳音出力部１１２Ｒへの音信号の供給を決定する（ステップＳ１０３）。一方、携帯電話機制御部１２４は、右耳の生体情報が取得されていないと判断したとき（ステップＳ１０２のＮｏ）、ユーザが右耳挿入部１１１Ｒを右耳に装着していないと判断して、次のステップＳ１０４に進む。
【００５１】
次に、携帯電話機制御部１２４は、ステップＳ１０１からステップＳ１０３と同様のステップを、左耳について行う。すなわち、携帯電話機制御部１２４は、左耳生体センサ１１３Ｌにおける左耳の生体情報の取得状況を、通信部１２５を介して受信する（ステップＳ１０４）。そして、携帯電話機制御部１２４は、受信した生体情報の取得状況に基づいて、左耳の生体情報が取得されているか否かを判断する（ステップＳ１０５）。
【００５２】
携帯電話機制御部１２４は、左耳の生体情報が取得されていると判断したとき（ステップＳ１０５のＹｅｓ）、ユーザが左耳挿入部１１１Ｌを右耳に装着していると判断して、左耳音出力部１１２Ｌへの音信号の供給を決定する（ステップＳ１０６）。一方、携帯電話機制御部１２４は、左耳の生体情報が取得されていないと判断したとき（ステップＳ１０５のＮｏ）、ユーザが左耳挿入部１１１Ｌを左耳に装着していないと判断して、次のステップＳ１０７に進む。
【００５３】
そして、携帯電話機制御部１２４は、音信号の供給を決定した音出力部１１２に供給する音信号を生成し、通信部１２５を介して音信号を音出力部１１２に供給する（ステップＳ１０７）。携帯電話機制御部１２４は、例えば、左右の音出力部１１２Ｒ及び１１２Ｌに音信号を供給することを決定していた場合、ステップＳ１０７において左右の音出力部１１２Ｒ及び１１２Ｌに音信号を供給することにより、音コンテンツを左右の音出力部１１２Ｒ及び１１２Ｌから、音コンテンツに応じて、例えばステレオ出力させる。また、携帯電話機制御部１２４は、例えば、左右の音出力部１１２Ｒ及び１１２Ｌのいずれか一方に音信号を供給することを決定していた場合、ステップＳ１０７において、決定した音出力部１１２Ｒ又は１１２Ｌに音信号を供給することにより、音コンテンツを一方の音出力部１１２Ｒ又は１１２Ｌからモノラル出力させる。また、携帯電話機制御部１２４は、ステップＳ１０２及びステップＳ１０５のいずれにおいても生体情報が取得されていないと判断したとき（ステップＳ１０２及びステップＳ１０５におけるＮｏ）、ステップＳ１０７において、いずれの音出力部１１２にも音信号を供給しない。このとき、携帯電話機制御部１２４は、音コンテンツを終了又は停止する。
【００５４】
携帯電話機制御部１２４は、イヤホン１１０と携帯電話機１２０との通信が確立された状態において、定期的若しくは不定期的又は継続して図４のフローを繰り返して実行することにより、生体センサ１１３における生体情報の取得状況に基づいて挿入部１１１の挿入状態を判断し、音コンテンツの出力状態を変化させる。
【００５５】
以上説明したように、再生装置１００は、生体センサ１１３における生体情報の取得状況に基づいて、コンテンツの出力を制御する。生体情報の取得状況は、ユーザがイヤホン１１０を耳に装着しているか否かに対応しているため、再生装置１００は、ユーザのイヤホン１１０の挿脱状態に基づいて、コンテンツを再生することができる。そのため、ユーザは、入力部１２３による操作ではなく、イヤホン１１０の挿脱により、コンテンツの再生又は終了を行うことができる。
【００５６】
また、コンテンツの再生及び終了をイヤホン１１０の挿脱状態に対応付けることにより、ユーザがイヤホン１１０を外したときに、コンテンツを終了し忘れたとしても、再生装置１００が自らコンテンツを終了又は停止する。そのため、ユーザが意図しない再生装置１００の再生動作による、再生装置１００の電力消費を防ぐことができる。
【００５７】
また、再生装置１００は、イヤホン１１０の挿脱状態の判断を、生体センサ１１３における生体情報の取得状況に対応付けて判断するため、実際にユーザがイヤホン１１０を装着しているか否かを高い精度で検出できる。このようにして、再生装置１００により、ユーザにとっての利便性が高まる。
【００５８】
なお、本発明は、上記実施の形態にのみ限定されるものではなく、幾多の変形又は変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００５９】
例えば、上述の実施の形態において、再生装置１００は、イヤホン１１０と携帯電話機１２０とを有するとして説明したが、再生装置１００は、携帯電話機１２０以外の他の任意の電子機器を有し、その電子機器により、コンテンツの出力を制御してもよい。再生装置１００は、例えば、携帯型ミュージックプレイヤ、ノートパソコン、タブレット端末、ゲーム機などの多岐にわたる任意の電子機器により、コンテンツの出力を制御してもよい。
【００６０】
また、上述の実施の形態において、再生装置１００は、生体センサ１１３が生体情報を取得していないとき、コンテンツの出力を終了又は停止するとして説明したが、再生装置１００が行う制御はこれに限られない。例えば、生体センサ１１３が生体情報を取得していないとき、再生装置１００は、音出力部１１２から出力されるコンテンツの音を消音（ミュート）するように制御することができる。かかる制御により、ユーザがイヤホン１１０を装着していないときに、音がイヤホン１１０外に漏れことを防止できるため、利便性が高まる。
【００６１】
また、生体センサ１１３が生体情報を取得していないとき、再生装置１００は、例えば、コンテンツの音の出力先を切り替えることができる。例えば、再生装置１００は、コンテンツに関する音信号を、音出力部１１２ではなく、携帯電話機１２０のスピーカ１２６に切り替える。これにより、再生装置１００は、ユーザがイヤホン１１０を装着していないと判断した場合、ユーザが聴取可能な手段で音を出力でき、利便性が高まる。なお、音の出力先は、例えば、再生装置１００に別途接続されたスピーカユニット等であってもよい。
【符号の説明】
【００６２】
１００  再生装置
１１０  イヤホン
１１１Ｒ  右耳挿入部
１１１Ｌ  左耳挿入部
１１２Ｒ  右耳音出力部
１１２Ｌ  左耳音出力部
１１３Ｒ  右耳生体センサ
１１３Ｌ  左耳生体センサ
１１４  イヤホン制御部
１１５  通信部
１２０  携帯電話機
１２１  記憶部
１２２  表示部
１２３  入力部
１２４  携帯電話機制御部
１２５  通信部
１２６  スピーカ
【図１】
2015211227.tif 000003
【図２】
2015211227.tif 000004
【図３】
2015211227.tif 000005
【図４】
2015211227.tif 000006